(57)【特許請求の範囲】
【請求項１】
疑似パネルおよび疑似軸組の搬出を行うロボットと、
疑似パネルを往復動させるコンベアの中間部にフローコーターを有する外壁パネル疑似塗装ラインと、
電着槽および水洗槽を有する軸組疑似塗装ラインと、
外壁パネル疑似塗装ラインおよび軸組疑似塗装ラインで塗装した疑似パネルおよび疑似軸組を並べる展示台とを具備して住宅展示棟内に設置され、
フローコーターは、塗料ヘッドから流し出されるカーテン状の塗膜の下方に塗料受けが設けられ、塗料受けで受けた塗料をポンプによって再度塗料ヘッドへ供給して絶えず塗膜を形成するようになされるとともに、塗料受けが昇降するようになされ、塗料受けが降下した状態でコンベアをさえぎる塗膜を形成するとともに、塗料受けが上昇した状態で塗膜を無くすようになされ、
疑似パネルは、ロボットによってコンベアの搬送基端部に供給され、コンベアをさえぎる塗膜中を通過して表面に塗料が塗布された後、コンベアをさえぎる塗膜を無くした状態でコンベアの搬送基端部側に逆送され、その後再度ロボットによって取り出されて展示台に展示されるようになされ、
疑似軸組は、ロボットによって挾持され、この挾持部分を電着槽に浸漬させないで電着槽に浸漬した部分と浸漬していない部分とを有するように電着塗装された後、水洗槽で水洗され、その後展示台に展示されるようになされたことを特徴とする工場生産設備の疑似展示装置。
【発明の詳細な説明】
【０００１】
【産業上の利用分野】
本発明は、工場の生産設備を疑似的に展示する装置に関するものである。
【０００２】
【従来の技術】
従来より、工場で生産される外壁パネルや軸組などの生産技術や品質管理の状態は、写真や文書などでカタログに紹介したり、工場見学などを行って確かめてもらうようにしていた。
【０００３】
【発明が解決しようとする課題】
しかし、写真や文書などでカタログに紹介する場合、実際に動きを伴わないため、その生産技術や品質管理の状態を把握するのが難しくなるといった不都合を生じる。
【０００４】
また、工場見学を行う場合、工場見学自体が煩わしいといった不都合を生じる。また、工場見学を行っても、どこでどのような作業が行われているかといったことが分かりにくく、説明してもらうにしても、工場内の騒音がある慌ただしい中で多くの見学者が容易に把握するといったことができない。
【０００５】
本発明は、係る実情に鑑みてなされたものであって、工場の生産技術と品質管理の良さを理解することができる工場生産設備の疑似展示装置を提供することを目的としている。
【０００６】
【課題を解決するための手段】
上記課題を解決するための本発明の工場生産設備の疑似展示装置は、疑似パネルおよび疑似軸組の搬出を行うロボットと、疑似パネルを往復動させるコンベアの中間部にフローコーターを有する外壁パネル疑似塗装ラインと、電着槽および水洗槽を有する軸組疑似塗装ラインと、外壁パネル疑似塗装ラインおよび軸組疑似塗装ラインで塗装した疑似パネルおよび疑似軸組を並べる展示台とを具備して住宅展示棟内に設置され、フローコーターは、塗料ヘッドから流し出されるカーテン状の塗膜の下方に塗料受けが設けられ、塗料受けで受けた塗料をポンプによって再度塗料ヘッドへ供給して絶えず塗膜を形成するようになされるとともに、塗料受けが昇降するようになされ、塗料受けが降下した状態でコンベアをさえぎる塗膜を形成するとともに、塗料受けが上昇した状態で塗膜を無くすようになされ、疑似パネルは、ロボットによってコンベアの搬送基端部に供給され、コンベアをさえぎる塗膜中を通過して表面に塗料が塗布された後、コンベアをさえぎる塗膜を無くした状態でコンベアの搬送基端部側に逆送され、その後再度ロボットによって取り出されて展示台に展示されるようになされ、疑似軸組は、ロボットによって挾持され、この挾持部分を電着槽に浸漬させないで電着槽に浸漬した部分と浸漬していない部分とを有するように電着塗装された後、水洗槽で水洗され、その後展示台に展示されるようになされたものである。
【０００７】
【発明の実施の形態】
以下、本発明の実施の形態を図面を参照して説明する。
【０００８】
図１は工場生産設備の疑似展示装置１の全体構成の概略を示している。
すなわち、この疑似展示装置１は、ロボット２と、外壁パネル疑似塗装ライン３と、軸組疑似塗装ライン４と、展示台５とを具備し、ロボット２によって、パネル片６および軸組片７を、外壁パネル疑似塗装ライン３および軸組疑似塗装ライン４に供給し、塗装後のパネル片６および軸組片７を展示台５に展示するようになされている。
【０００９】
ロボット２は、疑似展示装置１の中央部に設けられている。このロボット２は、アーム２１の先端で、パネル片６および軸組片７を挟持して、外壁パネル疑似塗装ライン３、軸組疑似塗装ライン４、および展示台５との間で、パネル片６および軸組片７のやり取りを行うようになされている。
【００１０】
外壁パネル疑似塗装ライン３は、図１および図２に示すように、コンベア３１と、このコンベア３１の中間部に設けられたフローコーター３２とを具備している。この外壁パネル疑似塗装ライン３は、実際に工場で行われているのと同様に、外壁パネルに見立てたパネル片６をコンベア３１で搬送し、その搬送過程でフローコーター３２によって塗装するようになされている。フローコーター３２は、塗料ヘッド３３から流し出される塗料３４によってカーテン状の塗膜３４ａを形成するようになされている。この塗料３４は、塗料ヘッド３３の下方に設けられた塗料受け３５で受けられ、ポンプ３６によって再度塗料ヘッド３３へと供給されることで、絶えず循環して塗膜３４ａが途切れないようになされている。また、塗料受け３５が昇降するようになされており、塗料受け３５が降下した状態で、コンベア３１をさえぎるように塗膜３４ａが形成され、塗料受け３５が上昇した状態で、コンベア３１をさえぎる塗膜３４ａが無くなるようになされている。
【００１１】
この外壁パネル疑似塗装ライン３は、フローコーター３２によって塗膜３４ａを形成し、この塗膜３４ａによってコンベア３１の搬送方向をさえぎった状態で、コンベア３１の搬送基端部側からパネル片６を矢符Ａ方向に搬送するようになされている。この搬送の過程で、パネル片６が塗膜３４ａ中を通過することとなり、パネル片６の表面に塗料３４が塗布されることとなる。また、搬送後は、塗料受け３５を上昇させてコンベア３１をさえぎる塗膜３４ａを無くしてから、このコンベア３１がさっきとは逆の矢符Ｂ方向にパネル片６を逆送するようになされている。これにより、塗料３４を塗布したパネル片６をコンベア３１の搬送基端部に回収できるようになされている。コンベア３１の搬送基端部にパネル片６を供給したり、塗装した後のパネル片６を取り出すのは、ロボット２によって行われる。また、矢符Ａ方向に搬送していたパネル片６を矢符Ｂ方向に逆送するタイミングは、パネル片６が、矢符Ａ方向に搬送されて突き当たった所でスイッチ（図示省略）を作動させたり、パネル片６の動きを光電管（図示省略）でとらえてコンベア３１を逆送に切り換えるようにしても良い。
【００１２】
なお、本実施の形態では、外壁パネル疑似塗装ライン３は、フローコーター３２の塗料受け３５を上昇させて塗膜３４ａを無くした後、コンベア３１によってパネル片６を逆送させるようになっているが、実際の工場では、フローコーター３２の塗料受け３５を上昇させてコンベア３１によってパネル片６を逆送させるといったことは無い。したがって、フローコーター３２によってパネル片６を塗装した後、ロボット２によってパネル片６を回収できる位置まで、コンベア３１のラインを延長した構成として実際の工場により近い形にしても良い。
【００１３】
軸組疑似塗装ライン４は、電着槽４１と水洗槽４２とを具備している。電着槽４１には、電着液４３が入っており、これに電極４４が挿入されて直流電流を通電するようになされている。電着液４３は、攪拌機４５で攪拌するようになされている。この電着槽４１に浸漬される軸組片７が陽極、電着槽４１が陰極となされることで、電着槽４１内の負電荷をもった電着液４３が、陽極である軸組片７の表面に沈着される。その後、隣接する水洗槽４２で、軸組片７の水洗が行われる。
【００１４】
この軸組疑似塗装ライン４は、電着槽４１の横に用意された軸組片７をロボット２のアーム２１の先端で挟持し、電着槽４１内の電着液４３に浸漬する。この際、軸組片７は、浸漬した部分と浸漬していない部分、すなわち、塗装部分と塗装していない部分とを比較し易いように、アーム７で挟持している部分を電着液４３に浸漬させないで電着塗装を行う。そして、水洗槽４２で、電着されていない電着液４３を洗い流した後、ロボット２によって、展示台５に並べられる。
【００１５】
展示台５は、ロボット２の前方に設けられ、塗装後のパネル片６および軸組片７を並べて展示するようになされている。
【００１６】
このようにして構成される疑似展示装置１は、ロボット２、外壁パネル疑似塗装ライン３、軸組疑似塗装ライン４、展示台５が、アクリル板８によって形成されたフェンスの内部に設けられ、住宅展示棟（図示省略）内に設置される。
【００１７】
そして、住宅展示棟を見学に来た人は、これらロボット２、外壁パネル疑似塗装ライン３、軸組疑似塗装ライン４の動作によって、パネル片６および軸組片７が次々と塗装され、展示台５に展示されるまでの過程を見ることで、実際に工場で生産される外壁パネルや軸組がどのように塗装されるかといった概略を知ることができる。
【００１８】
また、実際に展示台５に展示される塗装後のパネル片６や軸組片７の塗装状態を見ることで、実際に工場で生産される外壁パネルや軸組の品質がどの程度安定したものであるかといった概略を知ることができる。
【００１９】
【発明の効果】
以上述べたように、本発明によると、疑似パネルおよび疑似軸組を、ロボットによって外壁パネル疑似塗装ラインと軸組疑似塗装ラインとに供給し、塗装後の疑似パネルおよび疑似軸組を、ロボットによって展示台に展示するようになされているので、工場のの生産技術と品質管理の良さを実際の動きで確認してもらうことができる。
また、展示棟内に設置しているので、実際に工場で生産されている外壁パネルや軸組などの巨大な住宅部材がどのように塗装されているのかといった概略を見学者に容易に知らせることができる。
【図面の簡単な説明】
【図１】本発明の工場生産設備の疑似展示装置の全体構成の概略を示す平面図である。
【図２】（ａ）ないし（ｅ）は、本発明に係る疑似展示装置の外壁パネル疑似塗装ラインの工程図である。
【図３】（ａ）ないし（ｅ）は、本発明に係る疑似展示装置の軸組疑似塗装ラインの工程図である。
【符号の説明】
１  疑似展示装置
２  ロボット
３  外壁パネル疑似塗装装置
３１  コンベア
３２  フローコーター
４  軸組疑似塗装装置
４１  電着槽
４２  水洗槽
５  展示台
６  パネル片（疑似パネル）
７  軸組片（疑似軸組）
【図１】
0003886628.tif 000002
【図２】
0003886628.tif 000003
【図３】
0003886628.tif 000004